(57)【要約】【課題】閉じ合せ状態を安定保持でき、外装状態で十分な屈曲容易性を確保でき、しかも、ケーブルへの外装作業が容易なケーブル保護具を提供し、併せて、その保護具を用いて安定した屈曲動作と電線保護が可能なワイヤーハーネスを提供する。【解決手段】帯状素材２１の両側縁部２２、２３を閉じ合せて内部に電線群１１を収納可能なチューブ形状にされており、両側縁部２２、２３がチューブ形状の長さ方向に連続する雄嵌合部２５および雌嵌合部２６を有するケーブル保護具であって、両側縁部２２、２３から両嵌合部２５、２６の凹凸嵌合方向とは逆方向に突出するとともにチューブ長さ方向に連続するガイドレール部３１、３２が設けられており、これらの近傍で嵌合部２５、２６を凹凸嵌合方向に加圧する部位を一端側からガイドレール部３１、３２に沿って順次移動させて、嵌合部２５、２６を全長にわたり凹凸嵌合させるように構成する。【選択図】図１
2016144302.tif 000002
【特許請求の範囲】
【請求項１】
帯状素材の両側縁部を近接させて、内部にケーブルを収納可能なチューブ形状をなすように構成されており、
前記帯状素材の前記両側縁部が、前記チューブ形状の周方向で互いに凹凸嵌合可能であるとともに前記チューブ形状の長さ方向に連続する雄嵌合部および雌嵌合部を有するケーブル保護具であって、
前記帯状素材の前記両側縁部からそれぞれ前記雄嵌合部および前記雌嵌合部の凹凸嵌合方向とは逆の方向に突出するとともに前記チューブ形状の長さ方向に連続する一対のガイドレール部が設けられており、
前記一対のガイドレール部の近傍で前記雄嵌合部および前記雌嵌合部を前記凹凸嵌合方向に加圧する部位を、前記一対のガイドレール部の長さ方向の一端側から前記一対のガイドレール部に沿って順次移動させることにより、前記雄嵌合部および前記雌嵌合部を全長にわたり凹凸嵌合させるようにしたことを特徴とするケーブル保護具。
【請求項２】
前記帯状素材が、樹脂系のエラストマーで形成されていることを特徴とする請求項１に記載のケーブル保護具。
【請求項３】
前記一対のガイドレール部が、それぞれ前記雄嵌合部および前記雌嵌合部の凹凸嵌合方向とは逆の方向に開く凹状断面のガイド溝を形成していることを特徴とする請求項１または２に記載のケーブル保護具。
【請求項４】
請求項１ないし３のいずれか１項に記載されたケーブル保護具が外装された電線群を有するワイヤーハーネス。
【発明の詳細な説明】
【技術分野】
【０００１】
本発明は、ケーブル保護具およびワイヤーハーネスに関し、特に帯状素材の両側縁部を閉じ合せて可撓性チューブ状に構成されるケーブル保護具およびそれを電線に外装したワイヤーハーネスに関する。
【背景技術】
【０００２】
従来、自動車のスライドドアや工作機械のスライドヘッド等といった可動部に対し、比較的小径で可撓な電気配線や流体配管等（以下、これらを総称して単にケーブルという）を接続する場合に、可動部の移動に伴ってケーブルの屈曲位置が大きく変化する間でもケーブルを安定した移動姿勢に案内しつつ保護するケーブル保護具が使用されている。
【０００３】
この種のケーブル保護具としては、例えばエラストマー樹脂を略シート状に押出し成形して帯状素材を形成するとともにその帯状素材の両側縁部に閉じ合せ可能な雌雄の凹凸嵌合部を形成し、さらに、その帯状素材の両側縁部以外の部分にシートの長さ方向に所定ピッチで離間する複数の帯幅方向の分割スリットを形成することで、ケーブル屈曲時に相互に分離拡開可な複数のセグメント状の外周壁形成部分および複数対の左右側壁形成部分を構成した略チェーン型のものが知られている。
【先行技術文献】
【特許文献】
【０００４】
【特許文献１】特開２００８−２６７４３６号公報
【発明の概要】
【発明が解決しようとする課題】
【０００５】
しかしながら、上述のような従来のケーブル保護具にあっては、ケーブルの繰り返しの屈曲位置変化（屈曲移動および直線移動）に対して帯状のシート素材の両側縁部の閉じ合せ状態を安定保持する必要がある一方で、ケーブル保護具の十分な屈曲容易性を確保する必要があり、帯状のシートの両側縁部の雌雄の凹凸嵌合部が、ケーブル保護具の屈曲時の内周壁面に沿った嵌合深さの深いものとなっていた。そのため、長尺のケーブル保護具の全域で帯状のシートの両側縁部を閉じ合せる作業が容易でなく、ケーブルへのケーブル保護具の外装作業が容易でないという未解決の課題があった。
【０００６】
これに対し、例えば帯状のシートの長さ方向の一端からそのシートの両側縁部を順次閉じ合せることで、閉じ合せ作業の容易化を図ることが考えられるが、左右の凹凸嵌合部を安定保持しつつその閉じ合せ作業を行うことが容易でなかった。
【０００７】
本発明は、このような従来の課題を解決すべくなされたものであり、帯状素材の両側縁部の閉じ合せ状態を安定保持できるとともに、その外装状態で十分な屈曲容易性を確保でき、しかも、ケーブルへの外装作業が容易なケーブル保護具を提供することを目的とし、併せて、そのケーブル保護具を用いて安定した屈曲動作と電線保護を可能にしたワイヤーハーネスを提供することを目的とする。
【課題を解決するための手段】
【０００８】
本発明に係るケーブル保護具は、上記目的達成のため、帯状素材の両側縁部を近接させて、内部にケーブルを収納可能なチューブ形状をなすように構成されており、前記帯状素材の前記両側縁部が、前記チューブ形状の周方向で互いに凹凸嵌合可能であるとともに前記チューブ形状の長さ方向に連続する雄嵌合部および雌嵌合部を有するケーブル保護具であって、前記帯状素材の前記両側縁部からそれぞれ前記雄嵌合部および前記雌嵌合部の凹凸嵌合方向とは逆の方向に突出するとともに前記チューブ形状の長さ方向に連続する一対のガイドレール部が設けられており、前記一対のガイドレール部の近傍で前記雄嵌合部および前記雌嵌合部を前記凹凸嵌合方向に加圧する部位を、前記一対のガイドレール部の長さ方向の一端側から前記一対のガイドレール部に沿って順次移動させることにより、前記雄嵌合部および前記雌嵌合部を全長にわたり凹凸嵌合させるようにしたものである。
【０００９】
この構成により、一対のガイドレール部の近傍で雄嵌合部および雌嵌合部を背面側から凹凸嵌合方向に加圧するとともに、一対のガイドレール部に沿ってその加圧位置を順次移動させることで、雄嵌合部および雌嵌合部の凹凸嵌合深さが深かったり両嵌合部が低曲げ剛性であったりしても、雄嵌合部および雌嵌合部を全長にわたり容易にかつばらつきなく凹凸嵌合させることができる。したがって、帯状素材の両側縁部の閉じ合せ状態を安定保持できるとともに、その外装状態で十分な屈曲容易性を確保でき、しかも、ケーブルへの外装作業が容易なケーブル保護具となる。
【００１０】
加えて、一対のガイドレール部は、ケーブル屈曲時におけるケーブル保護具の屈曲半径方向内方側の壁面に沿った雄嵌合部および雌嵌合部の背面側でリブ状に延在するので、雄嵌合部および雌嵌合部をケーブル屈曲方向に十分に低曲げ剛性にしながらも、凹凸嵌合方向に加圧される雄嵌合部および雌嵌合部に必要な曲げ剛性を容易に確保することができる。
【００１１】
前記帯状素材は、樹脂系のエラストマーで形成されているとよい。そのようにすると、ケーブルの屈曲に対し抵抗の少ない低曲げ剛性のケーブル保護具となる。もっとも、前記帯状素材は、押出し成形等に適した任意の樹脂で形成され得る。また、前記帯状素材は、屈曲が容易な低剛性部分と形状保持やケーブルの経路規制に適した高剛性部分とを併有する場合に、低剛性部分と高剛性部分とを異なる材料で形成してもよい。そして、その場合、低剛性部分のみをエラストマーで形成し、他の部分をより高剛性のエラストマーや他の樹脂あるいは樹脂以外の材料で形成してもよい。
【００１２】
本発明のケーブル保護具においては、前記一対のガイドレール部が、それぞれ前記雄嵌合部および前記雌嵌合部の凹凸嵌合方向とは逆の方向に開く凹状断面のガイド溝を形成しているとよい。
【００１３】
このようにすると、帯状素材の両側縁部の保持が容易にかつ確実にでき、例えば軸間距離を一定に規制した一対のローラやスライダを有する閉じ合せ治具によって、帯状素材の長さ方向の一端から帯状素材の両側縁部を容易にかつ迅速に閉じ合せることができ、ケーブルへの外装作業がさらに容易化できることになる。
【００１４】
本発明のワイヤーハーネスは、上記のいずれかの構成を備えたケーブル保護具が外装された電線群を有するものである。
【００１５】
この構成により、本発明のワイヤーハーネスでは、電線群の屈曲位置、例えば所定の曲率半径で折返す位置が大きく変化するような場合でも、ケーブル保護具によって電線群が安定した移動姿勢に案内されるとともに、周囲との干渉等による損傷から確実に保護されることになる。
【発明の効果】
【００１６】
本発明によれば、帯状素材の両側縁部の閉じ合せ状態を安定保持できるとともに、その外装状態で十分な屈曲容易性を確保でき、しかも、ケーブルへの外装作業が容易なケーブル保護具を提供することができる。そして、そのケーブル保護具を用いて、安定した屈曲動作と電線保護を可能にしたワイヤーハーネスを提供することができる。
【図面の簡単な説明】
【００１７】
【図１】本発明の第１の実施の形態に係るケーブル保護具の外観斜視図である。
【図２】図１の矢印Ａ方向に見た矢視図である。
【図３】本発明の第１の実施の形態に係るケーブル保護具の帯状素材からその両側縁部を閉じ合せてチューブ状のケーブル保護具を作成する工程の説明図である。
【図４】本発明の第１の実施の形態に係るケーブル保護具とその帯状素材の両側縁部を閉じ合せる閉じ合せ作業用の治具とを示す斜視図である。
【図５】本発明の第１の実施の形態に係るケーブル保護具を外装したワイヤーハーネスを車両の可動部に接続した場合の屈曲姿勢の変化を示す説明図である。
【図６】本発明の第２の実施の形態に係るケーブル保護具の端面図である。
【図７】本発明の第２の実施の形態に係るケーブル保護具の帯状素材からその両側縁部を閉じ合せてチューブ状のケーブル保護具を作成する工程の説明図である。
【発明を実施するための形態】
【００１８】
以下、本発明を実施するための形態について図面を参照して説明する。
【００１９】
（第１の実施の形態）
図１ないし図５は、本発明の第１の実施の形態に係るケーブル保護具およびそれを外装したワイヤーハーネスを示している。本実施形態のケーブル保護具およびワイヤーハーネスは、自動車のスライドドアやスライドシート、サンルーフその他の可動部に電装品が実装される場合に、その可動部と車両本体側との間に介装されるものである。
【００２０】
まず、本実施の形態のケーブル保護具およびワイヤーハーネスの構成を説明する。
【００２１】
図１および図２に示すように、本実施形態のワイヤーハーネス１０は、複数の電線１１ａを有する電線群１１（ケーブル）と、電線群１１の長さ方向における一部の区間を取り囲むように電線群１１に外装されたケーブル保護具１２と、を備えている。
【００２２】
また、図５に示すように、ワイヤーハーネス１０は、例えば自動車のスライドドア等の可動部１内に設けられた図示しない電装品または電気回路と、その自動車の車体側に設けられる電気回路との間に介在するように配索され、その配索経路の途中で所定の曲率半径で折返すように屈曲している。
【００２３】
このワイヤーハーネス１０は、可動部１および車体側の固定部３に連結されて支持されるケーブル保護具１２の両端側において、それぞれ電線群１１を略真直に延在させまたは直進（直線移動）させる直進領域Ｚ１、Ｚ３を有している。また、ワイヤーハーネス１０は、電線群１１およびケーブル保護具１２の中間部付近を所定の曲率半径で折返すように屈曲させる屈曲領域Ｚ２とを有しており、可動部１の図５中の矢印Ｓ方向への所定範囲内での往復移動に伴って屈曲領域Ｚ２が同方向に往復移動するようになっている。
【００２４】
電線群１１の複数の電線１１ａは、それぞれ絶縁被覆電線として構成されており、詳細を図示しないが、それぞれ例えば複数本の軟銅線を撚り合わせた円形より線で構成される導体と、塩化ビニル樹脂を主体とする樹脂製のチューブ状の絶縁被覆とで構成されている。また、複数の電線１１ａには、必要に応じて、コネクタや端子金具、スプライス部品等が装着されている。
【００２５】
ケーブル保護具１２は、例えば使用温度域においてゴムのような弾性（ゴム弾性）を有する樹脂系のエラストマー、いわゆるエラストマー樹脂で形成されている。ただし、ケーブル保護具１２は、押出し成形等に適した他の樹脂、例えばポリプロピレン（ＰＰ樹脂）で形成されてもよい。
【００２６】
また、ケーブル保護具１２は、ワイヤーハーネス１０の直進領域Ｚ１、Ｚ３においてワイヤーハーネス１０の長さ方向に隣接しつつ直線的（インライン）に整列する一方、ワイヤーハーネス１０の屈曲領域Ｚ２内において屈曲半径の外方側で相互に分離拡開可な複数のセグメント１２ｓを構成した略チェーン型のものである。
【００２７】
具体的には、ケーブル保護具１２は、図３の上部に示すような横断面形状の一定幅の長いシート状（帯状）に押出し形成された帯状素材２１の両側縁部２２、２３を近接させ、図３の下部に示すようにチューブ形状に閉じ合せて、そのチューブ形状の内部に電線群１１を収納可能な電線収納空間２４を形成するように構成されている。そして、その帯状素材２１が、押出し成形に適したエラストマー樹脂あるいはＰＰ樹脂で形成されている。
【００２８】
また、帯状素材２１の両側縁部２２、２３は、チューブ形状の帯状素材２１の周方向である両側縁部２２、２３の閉じ合せ方向において互いに凹凸嵌合可能であるとともに、チューブ形状の長さ方向に連続する雄嵌合部２５および雌嵌合部２６を有している。
【００２９】
より具体的には、雄嵌合部２５は、帯状素材２１の幅方向一端側に位置する一方の側縁部２２から帯状素材２１の厚さ方向に突出する所定突出高さｈのリブ状の突出壁部であり、雄嵌合部２５の突出端側には、抜け止め作用をなすように拡幅させた矢先状横断面部分２５ａが設けられている。
【００３０】
また、図２および図３に示すように、雌嵌合部２６は、帯状素材２１の幅方向他端側に位置する他方の側縁部２３から、帯状素材２１の厚さ方向に突出する一対の同一高さｈの対向壁部２６ａ、２６ｂを有しており、一対の対向壁部２６ａ、２６ｂの突出端側には、矢先状横断面部分２５ａを抜け止め係止できるように互いに対向する鉤状の係合爪部分２６ｃ、２６ｄが設けられている。
【００３１】
さらに、帯状素材２１の両側縁部２２、２３の間には、複数のセグメント１２ｓを形成する複数組の外周壁形成部分２７ａおよび複数対の左右側壁形成部分２７ｂ、２７ｃが設けられるとともに、各外周壁形成部分２７ａとその左右の左右側壁形成部分２７ｂ、２７ｃの間に、これら外周壁形成部分２７ａおよび左右側壁形成部分２７ｂ、２７ｃよりも板厚が小さくなるように薄肉に形成された折り曲げ部２８ａ、２８ｂが設けられている。
【００３２】
各折り曲げ部２８ａ、２８ｂは、例えば帯状素材２１の片面側または両面側で、外周壁形成部分２７ａおよび左右側壁形成部分２７ｂ、２７ｃの間に円弧断面の内底壁面を有する縦溝を形成することで、外周壁形成部分２７ａと左右側壁形成部分２７ｂ、２７ｃとが容易に直角曲げできるようになっている。折り曲げ部２８ａ、２８ｂは、外周壁形成部分２７ａおよび左右側壁形成部分２７ｂ、２７ｃよりも屈曲が容易な低剛性部分とすべく、外周壁形成部分２７ａおよび左右側壁形成部分２７ｂ、２７ｃよりも低剛性のエアラスト樹脂で形成されてもよい。したがって、帯状素材２１は、二色成形または多色成形されてもよい。また、外周壁形成部分２７ａおよび左右側壁形成部分２７ｂ、２７ｃは、折り曲げ部２８ａ、２８ｂに対し相対的に高剛性部分とすべく、エラストマー樹脂以外の樹脂で形成されてもよく、あるいは樹脂以外の材料を含んで形成されてもよい。
【００３３】
また、ケーブル保護具１２の複数のセグメント１２ｓの間、すなわち、ケーブル保護具１２の長さ方向に隣り合う各一対の外周壁形成部分２７ａ同士の間、各一対の左側壁形成部分２７ｂ同士の間、および各一対の右側壁形成部分２７ｃ同士の間には、それぞれ切込み状のスリット２９（分割スリット）が形成されており、各スリット２９の両端には応力集中を抑えるよう円形孔２９ａ、２９ｂがパンチングで形成されている。
【００３４】
一方、ケーブル保護具１２には、帯状素材２１の両側縁部２２、２３からそれぞれ雄嵌合部２５および雌嵌合部２６の凹凸嵌合方向（図３の下部で左右に向かい合う方向）とは逆の方向に突出するとともにチューブ形状の長さ方向（図１の矢印Ｇの方向）に連続する左右一対のガイドレール部３１、３２が設けられている。
【００３５】
これら一対のガイドレール部３１、３２は、ケーブル保護具１２の左右側壁形成部分２７ｂ、２７ｃの基端側（屈曲半径方向における内側）であって雄嵌合部２５および雌嵌合部２６の背面側に、それぞれ雄嵌合部２５および雌嵌合部２６の凹凸嵌合方向とは逆の方向に開く略矩形の凹状断面のガイド溝３３、３４を形成している。
【００３６】
そして、一対のガイドレール部３１、３２の近傍で雄嵌合部２５および雌嵌合部２６を凹凸嵌合方向に加圧する力Ｆｐを加える部位を、一対のガイドレール部３１、３２の長さ方向の一端側からガイドレール部３１、３２およびガイド溝３３、３４に沿って順次電線群１１の長さ方向（ケーブル長さ方向）に移動させることにより、雄嵌合部２５および雌嵌合部２６を全長にわたり凹凸嵌合させることができるようになっている。
【００３７】
次に、本実施形態のワイヤーハーネス１０におけるケーブル保護具１２の作製および外装作業の手順と併せて、本実施形態の作用について説明する。
【００３８】
上述のように構成された本実施の形態のワイヤーハーネス１０においては、押出し成形した帯状素材２１に切込み状のスリット２９とその両端の円形孔２９ａ、２９ｂが後加工、例えばパンチングで形成される。
【００３９】
そして、その帯状素材２１の両側縁部２２、２３を近接させ、帯状素材２１をその帯幅方向の両端側で雄嵌合部２５および雌嵌合部２６の凹凸嵌合により閉じ合せるとともに、電線群１１の屈曲領域Ｚ２の周囲をケーブル保護具１２で取り囲む外装作業を行う。
【００４０】
具体的には、まず、図３および図４に示すように、帯状素材２１の長さ方向の一端側における一対のガイドレール部３１、３２の近傍に、平行軸配置された一対の挟圧用のローラ４１、４２を治具本体４３に回転自在に支持させた閉じ合せ治具４０を配置する。
【００４１】
そして、閉じ合せ治具４０のローラ４１、４２を介して、雄嵌合部２５および雌嵌合部２６に対し背面側から凹凸嵌合方向の加圧力Ｆｐを加えることで、ケーブル保護具１２の帯状素材２１を長さ方向の一端部で部分的に閉じ合せる。
【００４２】
次いで、一対のガイドレール部３１、３２に沿って閉じ合せ治具４０を移動させ、一対のガイドレール部３１、３２に沿ってローラ４１、４２を転動させながら、ローラ４１、４２から雄嵌合部２５および雌嵌合部２６への加圧力Ｆｐによる押下位置（挟圧位置）を順次電線長さ方向に移動させる。
【００４３】
このとき、雄嵌合部２５および雌嵌合部２６の凹凸嵌合深さが深かったり両嵌合部２５、２６が屈曲領域Ｚ２内での屈曲方向に低曲げ剛性であっても（その程度に低剛性のエラストマー樹脂で成形された低剛性部分となっていても）、雄嵌合部２５および雌嵌合部２６を、全長にわたり容易に、かつ、ばらつきなく一定の背面間距離Ｄｂとなるように凹凸嵌合させることができる。
【００４４】
したがって、雄嵌合部２５および雌嵌合部２６による帯状素材２１の両側縁部２２、２３の閉じ合せ状態を安定保持できるとともに、ケーブル保護具１２の十分な屈曲容易性を確保でき、しかも、電線群１１への外装作業が容易なケーブル保護具１２が得られることとなる。
【００４５】
また、一対のガイドレール部３１、３２は、ワイヤーハーネス１０の屈曲時におけるケーブル保護具１２の屈曲半径方向内方側の壁面に沿った雄嵌合部２５および雌嵌合部２６の背面側でリブ状に延在する。したがって、雄嵌合部２５および雌嵌合部２６を電線屈曲方向に十分に低曲げ剛性にしながらも、一対のガイドレール部３１、３２の断面形状を適宜設定することで、雄嵌合部２５および雌嵌合部２６の凹凸嵌合時の押圧力Ｆｐに対する所要の曲げ剛性を容易にかつ十分に確保できるとともに、電線屈曲時の雌嵌合部２６の口開き（例えば、係合爪部分２６ｄが係合爪部分２６ｃから離間する口開き）によって雄嵌合部２５および雌嵌合部２６の嵌合が外れるのを、有効に抑制できる。
【００４６】
さらに、本実施形態では、一対のガイドレール部３１、３２が、それぞれ雄嵌合部２５および雌嵌合部２６の凹凸嵌合方向とは逆の方向に開く凹状断面のガイド溝３３、３４を形成しているので、帯状素材２１の両側縁部２２、２３の保持が容易にかつ確実にでき、例えば軸間距離Ｄａ（図３参照）を一定に規制した一対のローラ４１、４２あるいはそれに代わる一対の加圧用スライダを有する閉じ合せ治具４０によって、帯状素材２１の長さ方向の一端から帯状素材２１の両側縁部２２、２３を容易にかつ迅速に閉じ合せることができる。したがって、ケーブル保護具１２の電線群１１への外装作業がさらに容易化できることになる。
【００４７】
本実施形態のワイヤーハーネス１０では、電線群１１の屈曲位置、例えば所定の曲率半径で折り返す屈曲領域Ｚ２の折返し位置が大きく変化するような場合でも、ケーブル保護具１２により、電線群１１が安定した移動姿勢に案内されるとともに、周囲との干渉等による損傷から確実に保護される。
【００４８】
すなわち、本実施形態では、屈曲領域Ｚ２における安定した屈曲動作と直進領域Ｚ１、Ｚ３および屈曲領域Ｚ２における電線群１１の安定した移動姿勢のガイドおよび保護を可能にしたワイヤーハーネスを提供することができる。
【００４９】
このように、本実施形態において、帯状素材２１の両側縁部２２、２３の閉じ合せ状態を安定保持できるとともに、ケーブル保護具１２の十分な屈曲容易性を確保でき、しかも、電線群１１のようなケーブルへの外装作業が容易なケーブル保護具１２を提供することができる。そして、そのケーブル保護具１２を用いて、安定した屈曲動作と電線保護を可能にしたワイヤーハーネス１０を提供することができる。
【００５０】
（第２の実施の形態）
図６および図７は、本発明の第２の実施の形態に係るケーブル保護具を示している。
【００５１】
図６および図７に示すように、本実施形態は、上述の第１の実施の形態におけるガイドレール部３１、３２に代えて、ケーブル保護具５２の外壁面から左右両側方に突出する各一対のガイドレール部７１、７２を設ける点で、第１の実施の形態と相違する。その他の構成は、上述の実施の形態のケーブル保護具１２と略同様であるので、以下、同一または類似構成部分については、第１の実施の形態の対応する構成要素の符号を用いて説明する。
【００５２】
本実施形態のケーブル保護具５２においては、帯状素材６１の両側縁部６２、６３からそれぞれ雄嵌合部２５および雌嵌合部２６の凹凸嵌合方向（図７の下部で左右に向かい合う方向）とは逆の方向に突出高さｐだけ突出するとともにチューブ形状の長さ方向に連続する左右の各一対のガイドレール部７１、７２が設けられている。
【００５３】
これら各一対のガイドレール部７１、７２は、ケーブル保護具５２の左右側壁形成部分２７ｂ、２７ｃの基端側（屈曲半径方向における内側）であって雄嵌合部２５および雌嵌合部２６の背面側に、それぞれ雄嵌合部２５および雌嵌合部２６の凹凸嵌合方向とは逆の方向に開く略矩形の凹状断面のガイド溝７３、７４を形成している。
【００５４】
そして、一対のローラ４１、４２を有する閉じ合せ治具４０によって、左右のガイドレール部７１、７２の近傍で雄嵌合部２５および雌嵌合部２６を凹凸嵌合方向に加圧する力Ｆｐを加える背面側加圧部位を、一対のガイドレール部７１、７２の長さ方向の一端側からガイドレール部７１、７２およびガイド溝７３、７４に沿って順次電線群１１の長さ方向（ケーブル長さ方向）に移動させることにより、雄嵌合部２５および雌嵌合部２６を全長にわたり凹凸嵌合させることができるようになっている。
【００５５】
本実施の形態においても、ケーブル保護具５２の帯状素材６１の両側縁部６２、６３の閉じ合せ状態を安定保持できるとともに、ケーブル保護具５２の十分な屈曲容易性を確保でき、しかも、電線群１１のようなケーブルへの外装作業が容易なケーブル保護具５２を提供することができる。そして、そのケーブル保護具５２を用いて、安定した屈曲動作と電線保護を可能にしたワイヤーハーネス１０を提供することができる。
【００５６】
なお、上述の各実施の形態では、本発明のケーブル保護具をワイヤーハーネスの電線群に外装するものとして説明したが、本発明のケーブル保護具は、自動車の可動部のみならず、工作機械のスライドヘッドその他の任意の可動部に対して、比較的小径で可撓な電気配線や流体配管等のケーブル類を接続する場合に適用可能である。
【００５７】
また、雄嵌合部２５は、矢先形の横断面を有し、雌嵌合部２６はそれに対応する凹状の横断面形状を有するものとしたが、これら雌雄の嵌合部２５、２６の嵌合は、雄嵌合部２５が雌嵌合部２６に対し抜け止め形状もしくは抜けを抑制する凹凸嵌合形状になっているものであれば、任意の断面形状にできることはいうまでもない。
【００５８】
さらに、上述の第１の実施の形態では、一対のガイドレール部３１、３２がそれぞれガイド溝３３、３４を形成し、上述の第２の実施の形態でも、一対のガイドレール部７１、７２がそれぞれガイド溝７３、７４を形成するものとしたが、閉じ合せ治具４０の一対のローラ４１、４２に外周溝を形成し、例えば矩形凸断面に形成された左右のガイドレール部３１、３２に対し、一対のローラ４１、４２の外周溝の凹状内壁部分を係合させることも考えられる。
【００５９】
以上説明したように、本発明は、帯状素材の両側縁部の閉じ合せ状態を安定保持できるとともに、その外装状態で十分な屈曲容易性を確保でき、しかも、ケーブルへの外装作業が容易なケーブル保護具を提供することができ、そのケーブル保護具を用いて、安定した屈曲動作と電線保護を可能にしたワイヤーハーネスを提供することができる。かかる本発明は、帯状素材の両側縁部を閉じ合せて可撓性チューブ状に構成されるケーブル保護具およびそれを電線に外装したワイヤーハーネス全般に有用である。
【符号の説明】
【００６０】
１  可動部（可動部側の電装品または電気回路）
３  固定部（車体側の電気回路）
１０  ワイヤーハーネス
１１  電線群（複数の電線、ケーブル）
１１ａ  電線（絶縁被覆電線）
１２、５２  ケーブル保護具
１２ｓ  セグメント
２１、６１  帯状素材
２２、２３、６２、６３  両側縁部
２４  電線収納空間
２５  雄嵌合部
２５ａ  矢先状横断面部分
２６  雌嵌合部
２６ａ、２６ｂ  対向壁部
２６ｃ、２６ｄ  係合爪部分
２７ａ  外周壁形成部分
２７ｂ、２７ｃ  左右側壁形成部分
２８ａ、２８ｂ  折り曲げ部
２９  スリット
２９ａ、２９ｂ  円形孔
３１、３２、７１、７２  ガイドレール部
３３、３４、７３、７４  ガイド溝
４０  閉じ合せ治具
４１、４２  ローラ
４３  治具本体
Ｚ１、Ｚ３  直進領域
Ｚ２  屈曲領域
【図１】
2016144302.tif 000003
【図２】
2016144302.tif 000004
【図３】
2016144302.tif 000005
【図４】
2016144302.tif 000006
【図５】
2016144302.tif 000007
【図６】
2016144302.tif 000008
【図７】
2016144302.tif 000009